(57)【要約】      （修正有）【課題】流出口から流出する燃料の流出方向を、逆止弁の通路形成部材の中心軸の方向と異なる方向で、かつ弁プレートを通路形成部材に取り付けるための通路形成部材の被取付部と反対の方向に定めることが可能であると共に、生産効率に優れた簡易な構造からなる逆止弁を提供する。【解決手段】通路形成部材１４の中心軸方向に対して斜めに開いた板状の閉止部１５ａと、２枚の案内壁１７とによって、燃料の流出が案内され、流出口１４ｂから流出する燃料の流出方向を、通路形成部材１４の中心軸の方向と異なる方向で、かつ通路形成部材１４の取付部１４ｅと反対の方向に定める。逆止弁１０を、鞍型燃料タンクＴの鞍部Ｔｃの外壁に配置すると共に、逆止弁１０から流出する燃料の流出方向をメインタンク部Ｔａ側に向ける。【選択図】図２
2010173499.tif 000002
【特許請求の範囲】
【請求項１】
燃料タンクの接続口に一端側が挿入されて該接続口に接続される逆止弁であって、
通路、該通路の一端に設けられた流出口、及び該流出口側の外周部に設けられた取付部を有する、直管状の通路形成部材と、
前記取付部に取り付けられた被取付部、及び閉弁方向に作用する付勢力を常時受けつつ前記流出口から流出する燃料から受ける流体圧力に応じて該被取付部を中心として回動することにより該流出口を開閉する板状の閉止部を有する、弁プレートと、を備え、
前記通路形成部材が、該通路形成部材の流出口側の端部から該通路形成部材の中心軸と平行に突出して延設され、かつ前記取付部を含む軸断面を挟んだ両側に互いに対向して配設された、２枚の案内壁を有し、
開弁時の前記閉止部と２枚の前記案内壁とによって前記流出口から流出する燃料を案内して、該燃料の流出方向を、前記中心軸の方向と異なる方向で、かつ前記取付部と反対の方向に定めることを特徴とする逆止弁。
【請求項２】
前記案内壁が、最大開度まで開弁した前記閉止部の閉止面を含む平面よりも突出する位置まで延設されている請求項１に記載の逆止弁。
【請求項３】
前記通路形成部材の前記流出口を含む平面が前記通路形成部材の中心軸と直交する平面と傾斜するように、該流出口が該中心軸に対して斜めに形成され、
前記取付部が、前記通路形成部材の前記流出口側の外周部のうち最大突出部位に在る請求項１又は２に記載の逆止弁。
【請求項４】
さらに、前記流出口の周方向の位置を位置決めする位置決め手段を備える請求項１〜３のうちのいずれか一つに記載の逆止弁。
【請求項５】
さらに、前記閉止部の最大開度を規制する規制手段を備える請求項１〜４のうちのいずれか一つに記載の逆止弁。
【請求項６】
前記弁プレートが、前記被取付部と前記閉止部とが一体成形された板ばねよりなり、
前記付勢力が、前記被取付部と前記閉止部とのなす角度の変動によって発生する弾性力である請求項１〜５のうちのいずれか一つに記載の逆止弁。
【請求項７】
メインタンク部部、サブタンク部、並びに該メインタンク部部及び該サブタンク部を接続し接続口が設けられた鞍部を有するタンク本体と、
前記接続口に接続された請求項１〜６のうちのいずれか一つに記載の逆止弁と、を備え、
前記逆止弁から流出する燃料の流出方向をメインタンク部部側に向けることを特徴とする鞍型燃料タンク。
【発明の詳細な説明】
【技術分野】
【０００１】
本発明は、自動車の燃料タンクに燃料を導入するための給油管などに接続される逆止弁に関するものである。
【背景技術】
【０００２】
従来、自動車の燃料タンクには、給油のストップ時に、上昇した燃料タンク内圧により燃料タンク内の燃料が押し戻されて外部に流出するのを防止するための逆止弁が取り付けられている。この逆止弁は、通路及びこの通路から燃料を流出する流出口を備えた通路形成部材と、通路形成部材に取り付けられ流出口を開閉する弁体とを備えている。
【０００３】
従来の逆止弁として、特許文献１に記載の逆止弁がある。この逆止弁においては、燃料の流出方向が一定方向に定められていないため、流出口から流出する燃料は四方に飛散する。ところで、燃料タンクに給油する際には、逆止弁の流出口から流出する燃料の流出方向を一定方向に定めて、燃料タンク底面に向かって円滑に燃料を流出することが好ましい場合がある。この理由は以下のとおりである。
【０００４】
燃料の流出方向が一定方向に定められずに四方に飛散したり、水平方向に勢いよく飛散すると、燃料の流出口が燃料遮断弁や満タン検知バルブに近接している場合には、燃料が燃料遮断弁や満タン検知バルブに勢いよくあたることによって、これらの部品の誤作動を招く可能性がある。
【０００５】
このような課題を解決する従来の逆止弁として、以下に示す逆止弁がある。
【０００６】
図５に特許文献２に記載の逆止弁を説明する断面図を示す。この逆止弁２０は、燃料タンクＴの外壁に接続されており、通路形成部材２１と、弁体である板状のシャッター２２とを備えている。通路形成部材２１は、通路部２１ａと、通路部２１ａから燃料を流出する流出口である開口部２１ｂとを備えている。シャッター２２は、通路形成部材２１の開口部２１ｂ側の外周部にヒンジ２３によって支持されている。シャッター２２は、ヒンジ２３に備わるコイルバネによって、常時、シャッター２２が開口部２１ｂを閉じる方向に付勢されている。
【０００７】
開口部２１ｂは、通路形成部材２１の中心軸に対して垂直ではなく、斜めに形成されており、ヒンジ２３が配置されている位置が最も燃料タンクＴ内に突出している。通路部２１ａの内周面の一部は、ヒンジ２３付近において、球状面２１ｃとして形成されている。
【０００８】
この逆止弁２０においては、斜めに形成された開口部２１ｂと、球状面２１ｃとが燃料の流出方向を定める。例えば、図５に示すように開口部２１ｂが略水平に設定されることによって、燃料の流れが下向きに変向するように案内される。
【０００９】
図６に特許文献３に記載の逆止弁を説明する断面図を示す。この逆止弁３０は、燃料タンクＴの外壁に接続されており、通路形成部材３１と、通路形成部材３１の内部に配置された傘状の弁体３２とを備えている。通路形成部材３１は、通路部３１ａと、通路部３１ａから燃料を流出する流出口である開口部３１ｂとを備えている。弁体３２は、弁体３２の軸に嵌挿されたスプリング３３によって、常時、弁体３２が開口部３１ｂを閉じる方向に付勢されている。
【００１０】
通路形成部材３１の開口部３１ｂ側の外周壁の一部は、燃料タンクＴ内に向かって延設されており、開口部３１ｂの外周の周方向の略半分を覆う半筒部３４として形成されている。
【００１１】
この逆止弁３０においては、弁体３２が開弁すると燃料は開口部３１ｂから四方に飛散するものの、半筒部３４によって、開口部３１ｂの外周の周方向の略半分の方向への飛散は防止され、燃料の流出が半筒部３４で覆われていない方向に定まる。
【先行技術文献】
【特許文献】
【００１２】
【特許文献１】特開２００７−２４５８２４号公報
【特許文献２】特開２００１−７１７６３号公報
【特許文献３】特開２００８−６２８７８号公報
【発明の概要】
【発明が解決しようとする課題】
【００１３】
近年、鉄製の燃料タンクに代わって、軽量で錆びない特性を有する樹脂製の燃料タンクが燃料タンクの主流となっている。また、逆止弁も樹脂製のものが主流となっている。
【００１４】
図５に示した従来の逆止弁２０においては、通路部２１ａの内周面の一部に球状面２１ｃが形成されているために、樹脂材料を射出成形することにより通路形成部材２１を得る場合には、成形作業に手間がかかるスライド金型が必要であり、生産効率が良好ではなかった。
【００１５】
また、球状面２１ｃによって燃料の流出方向が定まるものの、開口部２１ｂから流出した燃料の一部は、開弁したシャッター２２にあたって四方に飛散するため、燃料の流出方向が充分に定まってはいなかった。
【００１６】
図６に示した従来の逆止弁３０においては、傘状の弁体３２により開口部３１ｂを開閉する構造であり、構造が複雑であることから、生産効率が良好ではなかった。
【００１７】
本発明は上記課題に鑑みてなされたものであり、流出口から流出する燃料の流出方向を、逆止弁の通路形成部材の中心軸の方向と異なる方向で、かつ弁プレートを通路形成部材に取り付けるための通路形成部材の取付部と反対の方向に定めることが可能であると共に、生産効率に優れた簡易な構造からなる逆止弁を提供することを目的とする。
【課題を解決するための手段】
【００１８】
以下、上記課題を解決するのに適した各手段につき、必要に応じて作用効果等を付記しつつ説明する。
【００１９】
本発明の逆止弁は、燃料タンクの接続口に一端側が挿入されて該接続口に接続される逆止弁であって、通路、該通路の一端に設けられた流出口、及び該流出口側の外周部に設けられた取付部を有する、直管状の通路形成部材と、前記取付部に取り付けられた被取付部、及び閉弁方向に作用する付勢力を常時受けつつ前記流出口から流出する燃料から受ける流体圧力に応じて該被取付部を中心として回動することにより該流出口を開閉する板状の閉止部を有する、弁プレートと、を備え、前記通路形成部材が、該通路形成部材の流出口側の端部から該通路形成部材の中心軸と平行に突出して延設され、かつ前記取付部を含む軸断面を挟んだ両側に互いに対向して配設された、２枚の案内壁を有し、開弁時の前記閉止部と２枚の前記案内壁とによって前記流出口から流出する燃料を案内して、該燃料の流出方向を、前記中心軸の方向と異なる方向で、かつ前記取付部と反対の方向に定めることを特徴とする。
【００２０】
このような構成によれば、通路形成部材の中心軸方向に対して斜めに開いた板状の閉止部と、２枚の案内壁とによって、燃料の流出が案内され、流出口から流出する燃料の流出方向を、逆止弁の通路形成部材の中心軸の方向と異なる方向で、かつ弁プレートを通路形成部材に取り付けるための通路形成部材の取付部と反対の方向に定めることができる。
【００２１】
このように流出口から流出する燃料の飛散を抑えて、燃料の流出方向を通路形成部材の中心軸の方向と異なる一定方向に定めることによって、燃料タンク内の各種部品に燃料が勢いよくあたることを防止し、燃料タンク底面に向かって円滑に燃料を流出することが可能となる。これにより、燃料タンク内に配置された燃料遮断弁や満タン検知バルブ等の誤作動を防止することが可能となる。
【００２２】
また、通路形成部材が単純な直管状よりなるため、樹脂材料を射出成形することにより通路形成部材を得る場合には、成形作業に手間がかかるスライド金型が不要であり、生産効率が良好である。
【００２３】
また、弁プレートの形状も単純な板状よりなるため、前述の従来技術で示した傘状の弁体のような複雑な構造とは異なり、生産効率が良好である。
【００２４】
本発明の好適な態様として、前記案内壁が、最大開度まで開弁した前記閉止部の閉止面を含む平面よりも突出する位置まで延設されているとよい。
【００２５】
２枚の案内壁は、通路形成部材の軸方向と直交する方向のうちの２方向への燃料の流出を規制するためのものである。開弁時において、案内壁が、弁プレートの閉止部の閉止面を含む平面よりも突出していない場合には、案内壁の先端と閉止部との間に、案内壁の外壁側からみて隙間が形成される。この隙間から案内壁の外壁側に向かって燃料が流出するため、燃料の流出方向を一定方向に定める効果が小さくなる。
【００２６】
案内壁が、閉止部の閉止面を含む平面よりも突出する位置まで燃料タンク内に向かって延設されていれば、通路形成部材の軸方向と直交する方向のうちの２方向への燃料の流出を規制する効果が高くなる。
【００２７】
本発明の好適な態様として、前記通路形成部材の前記流出口を含む平面が前記通路形成部材の中心軸と直交する平面と傾斜するように、該流出口が該中心軸に対して斜めに形成され、前記取付部が、前記通路形成部材の前記流出口側の外周部のうち最大突出部位に在るとよい。
【００２８】
このような構成によれば、通路形成部材の流出口は、通路形成部材の中心軸に対して垂直ではなく、斜めに形成されており、流出口から流出する燃料の流出方向に大きく開口した構造である。これにより、流出口から流出する燃料の流出方向を、通路形成部材の中心軸の方向に対して大きく曲げることが可能となる。
【００２９】
本発明の好適な態様として、さらに、前記流出口の周方向の位置を位置決めする位置決め手段を備えるとよい。
【００３０】
前述のとおり、閉止部及び２枚の案内壁は、流出口から流出する燃料の流出方向を通路形成部材の中心軸の方向に対して曲げるように作用するが、流出口の周方向への燃料の流出方向を自由に定めることはできない。前述した本発明の逆止弁に、上記の流出口の周方向の位置を位置決めする位置決め手段を備えることによって、燃料タンクの接続口の所定の位置に正確に逆止弁を接続することが可能となり、流出口から流出する燃料の流出方向を定める自由度が大きくなる。
【００３１】
本発明の好適な態様として、さらに、前記閉止部の最大開度を規制する規制手段を備えるとよい。
【００３２】
閉止部は、流出口から流出する燃料から受ける流体圧力に応じて被取付部を中心として回動することにより流出口を開閉する。すなわち、流体圧力が小さいときには閉止部の開度も小さく、流体圧力が大きくなるにしたがって閉止部の開度も大きくなる。規制手段によって閉止部の最大開度が規制されていれば、流体圧力の増加にともなって閉止部の開度が最大開度まで達した後に、さらに流体圧力が増加したとしても、閉止部の開度は最大開度に固定されたままとなる。したがって、閉止部の開度が、流体圧力の増減の影響を受けにくくなり、これにより、燃料の流出方向を一定方向に定めやすくなる。
【００３３】
本発明の好適な態様として、前記弁プレートが、前記被取付部と前記閉止部とが一体成形された板ばねよりなり、前記付勢力が、前記被取付部と前記閉止部とのなす角度の変動によって発生する弾性力であるとよい。
【００３４】
このような構成によれば、弁プレートの被取付部と閉止部とが、弾性を有する薄板から一体に形成されているため、前述の従来技術で示したシャッター（弁体）のヒンジに備わるコイルバネのように弁体とは別体の付勢力を付与する手段を必要としない。このように弁プレートの構造が単純であることと、部品数が少ないことによって、部品成形や組立ての手間は省力化され、生産効率が良好となる。
【００３５】
また、本発明の逆止弁は、メインタンク部、サブタンク部、並びに該メインタンク部及び該サブタンク部を接続する鞍部を有する鞍型燃料タンクにおいて、鞍部に設けられた接続口に接続されると共に、前記逆止弁から流出する燃料の流出方向をメインタンク部側に向けることが好ましい。
【００３６】
メインタンク部とサブタンク部を備える鞍型燃料タンクにおいては、メインタンク部に優先的に燃料を入れることが好ましい。この理由は以下のとおりである。
【００３７】
メインタンク部に燃料がほとんど入っていない状態で、サブタンク部のみに給油すると、エンジン始動により、燃料移送ポンプが稼働して、サブタンク部側からメインタンク部側に燃料が移送される。しかし、エンジン始動直後にはメインタンク部内に燃料が少ない状態であるため、車両走行持にメインタンク部内の燃料の液面が変化（傾斜）すれば、メインタンク部からエンジンに燃料を送る燃料ポンプにエアをかむ可能性がある。燃料ポンプにエアをかめば、エンストに繋がる可能性がある。
【００３８】
このような理由から、鞍型燃料タンクの逆止弁は、メインタンク部の外壁に配置され、直接メインタンク部に給油するのが一般的である。ところが、自動車のデザイン上、逆止弁をメインタンク部とサブタンク部との間の鞍部の外壁に配置する必要性が生じる場合がある。
【００３９】
このような場合において、流出口から流出する燃料の流出方向が一定方向に定められていない従来の逆止弁（特許文献１）を使用する際には、通路形成部材をメインタンク部側に向けて曲げるか、流出口の先にメインタンク部側に向かう延長チューブを接続するか、流出口がメインタンク部側を向くように鞍部の外壁に対して斜めに逆止弁を挿入して接続するなどの対処方法が想定される。ところが、これらの対処方法は、成形性や組付け性に劣るため、良好な生産効率を確保することができない。
【００４０】
本発明の逆止弁においては、流出口から流出する燃料の飛散を抑えて、流出方向を通路形成部材の中心軸の方向と異なる一定方向に定める構成であるため、燃料の流出方向をメインタンク部側に向けることにより、メインタンク部に優先的に燃料を入れることが可能となる。また、本発明の逆止弁の通路形成部材は単純な直管状よりなるため、鞍部の外壁への組付け性に優れ、良好な生産効率を確保することができる。
【００４１】
さらに、本発明の逆止弁においては、燃料の流出方向を定めることが可能であるため、逆止弁の燃料の流出口に近接して各種部品を配置することが可能である。したがって、燃料タンクの外壁の最上部付近に位置している鞍部の上壁に満タン検知バルブを配置した場合であっても、満タン検知バルブの誤作動を招く可能性が小さい。
【図面の簡単な説明】
【００４２】
【図１】本発明の第１実施形態における逆止弁を説明する説明図であって、（ａ）は逆止弁の側面図、（ｂ）は逆止弁の下面図、（ｃ）は（ａ）におけるＡ−Ａ線で切断した断面図、（ｄ）は（ａ）におけるＢ−Ｂ線で切断した断面図を示している。
【図２】本発明の第１実施形態における逆止弁の動作を説明する斜視図であって、（ａ）は逆止弁が閉弁している状況、（ｂ）は給油によって逆止弁が開弁している状況を示している。
【図３】本発明の第２実施形態を説明する断面模式図であって、第１実施形態の逆止弁が使用されている鞍型燃料タンクを示している。
【図４】本発明の第３実施形態を説明する断面模式図であって、第１実施形態の逆止弁が使用されている燃料遮断弁及び満タン検知バルブを有する燃料タンクを示している。
【図５】従来の逆止弁を説明する断面図であって、板状の弁体を有し、かつ燃料流出方向を定める機能を有する逆止弁を示している。
【図６】従来の逆止弁を説明する断面図であって、傘状の弁体を有し、かつ燃料流出方向を定める機能を有する逆止弁を示している。
【発明を実施するための形態】
【００４３】
以下、本発明の逆止弁及びその適用方法を具体化した実施形態について図面を参照しつつ具体的に説明する。
＜第１実施形態＞
図１に本実施形態の逆止弁を説明する説明図、図２に本実施形態の逆止弁の動作を説明する斜視図を示す。
【００４４】
図１（ａ）は逆止弁の側面図、図１（ｂ）は逆止弁の下面図、図１（ｃ）は図１（ａ）におけるＡ−Ａ線で切断した断面図、図１（ｄ）は図１（ａ）におけるＢ−Ｂ線で切断した断面図を示している。また、図２（ａ）は逆止弁が閉弁している状況、図２（ｂ）は給油によって逆止弁が開弁している状況を示している。
（１）給油装置の概略構成
逆止弁１０は、燃料タンクＴの外壁に設けられた接続口Ｔｄに接続されている。逆止弁１０は、インレットパイプ（図示せず）やインレットホースＨ等と共に、燃料給油口（図示せず）と燃料タンクＴとを接続する部品の一つである。この燃料給油口から燃料タンクに至る給油ラインは給油装置と呼ばれている。
【００４５】
給油装置は、燃料キャップ（図示せず）により開閉される燃料給油口を有するフィラーネック（図示せず）と、フィラーネックの一端に接続され金属製または樹脂製のインレットパイプと、インレットパイプに接続されゴム製のインレットホースＨと、インレットホースＨの一端に接続され、かつ燃料タンクＴに接続された逆止弁１０とを備えている。
【００４６】
給油ガン（図示せず）から燃料を燃料給油口に注入すると、燃料は、インレットパイプ、インレットホースＨ、逆止弁１０の燃料タンク用管接続体１１、及び逆止弁１０の通路形成部材１４を流れて、さらに逆止弁１０の弁プレート１５を開いて燃料タンクＴ内に供給される。一方、給油ストップ時には、逆止弁１０は、閉弁状態にあるから、上昇した燃料タンク内圧により燃料タンクＴ内の燃料が押し戻されて外部へ流出するのを防止する。
（２）逆止弁１０の構成
逆止弁１０は、燃料タンクＴの外壁に設けられた接続口Ｔｄに接続される燃料タンク用管接続体１１と、燃料タンクＴの接続口Ｔｄに挿入されると共に、燃料タンク用管接続体１１に接続される通路形成部材１４と、この通路形成部材１４の一端の燃料を流出する流出口１４ｂ側に取り付けられ、かつ流出口１４ｂを開閉する弁プレート１５とを備えている。
【００４７】
燃料タンク用管接続体１１は樹脂製であり、通路形成部１２と、接続用溶着部１３とを備え、これらを２色成形により一体に形成している。
【００４８】
通路形成部１２は、インレットホースＨに接続される通路を形成する通路部１２ａを備えている。通路部１２ａの一端は、通路部１２ａの外周端から拡張されることでインレットホースＨを抜止するための抜止拡張部１２ｂになっている。通路部１２ａの他端には、フランジ１２ｃが形成されている。フランジ１２ｃの一方の面は、接続用溶着部１３の内壁に溶着される面になっており、その他面は、通路形成部材１４の一端を溶着するための溶着部１２ｄになっている。通路形成部１２は、例えば、ナイロン−１２などのポリアミド（ＰＡ）から形成されている。
【００４９】
接続用溶着部１３は、外筒部１３ａと、外筒部１３ａの一端外周から拡張されたフランジ１３ｂと、フランジ１３ｂの一端面に環状に突設された溶着端１３ｃとを備えている。
【００５０】
また、流出口１４ｂの周方向の位置を位置決めする位置決め手段として、フランジ１３ｂの外周の１箇所に突起１３ｄを備えている。この突起１３ｄを、燃料タンクＴの接続口Ｔｄ付近の外壁に設けられた位置決め基準部（図示せず）に係合することによって、流出口１４ｂの周方向の位置を位置決めした後に、燃料タンクＴの外壁と接続用溶着部１３とを溶着する。なお、これらの位置決め手段及び位置決め基準部は、係合する構造に限らず、凹凸のない目印をマーキングして、目視により位置決めを行ってもよい。
【００５１】
接続用溶着部１３は燃料タンクＴに熱溶着可能である変性ポリエチレンから形成されている。変性ポリエチレンは、ポリエチレン（ＰＥ）に極性官能基、例えばマレイン酸変性された官能基を付加した樹脂材料であり、ＰＡと射出成形時の熱により反応接着する材料である。よって、接続用溶着部１３は、２色成形により通路形成部１２と反応接着により溶着一体化している。
【００５２】
通路形成部材１４は、通路形成部１２と同じＰＡから形成された直管状（筒形状）であり、その内部に通路形成部１２の通路部１２ａに連通する通路１４ａを有し、その通路部１２ａ側が流入口１４ｃになっている。通路形成部材１４の流入口１４ｃ側の端部には、フランジ１４ｄが設けられている。このフランジ１４ｄは、通路形成部１２の溶着部１２ｄに溶着により一体的に接続されている。通路形成部材１４の流出口１４ｂ側の外周部には、弁プレート１５を取り付けるための取付部１４ｅが設けられている。
【００５３】
取付部１４ｅは、通路形成部材１４の流出口１４ｂ側の外周部からほぼ平行に立設された側壁部を備えている。各々の側壁部は、立壁と、この立壁の上端から互いに向き合うように延設された押さえ部とを備え、立壁と押さえ部とにより断面Ｌ字形に形成されている。また、押さえ部にまたがってブリッジ部が形成されている。側壁部の間は、弁プレート１５の被取付部１５ｂを収納するための取付溝となっている。取付溝は、弁プレート１５側が被取付部１５ｂを挿入するための挿入口となっている。
【００５４】
流出口１４ｂは、通路形成部材１４の流出口１４ｂを含む平面が通路形成部材１４の中心軸と直交する平面と傾斜するように、通路形成部材１４の中心軸に対して斜めに形成されている。また、通路形成部材１４の取付部１４ｅが、通路形成部材１４の流出口１４ｂ側の外周部のうち最大突出部位となっている。すなわち、流出口１４ｂは、流出口１４ｂから流出する燃料の流出方向に大きく開口した構造である。
【００５５】
通路形成部材１４の流出口１４ｂ側の端部には、通路形成部材１４との射出成形により一体成形された２枚の案内壁１７が備わっている。２枚の案内壁１７は、通路形成部材１４の流出口１４ｂ側の端部から通路形成部材１４の中心軸と平行に突出して燃料タンクＴ内に向かって延設され、かつ通路形成部材１４の取付部１４ｅを含む軸断面を挟んだ両側に互いに対向して配置されている。
【００５６】
図１（ｄ）及び図２に示すとおり、２枚の案内壁１７は、取付部１４ｅと、流出口１４ｂの取付部１４ｅと対向する側を避けて配置されると共に、弁プレート１５の開閉動作を妨げないように配置されている。また、２枚の案内壁１７は、燃料タンクＴの外壁に設けられた接続口Ｔｄに挿入可能なように、流出口１４ｂの形状にあわせた円弧状の断面形状となっている。
【００５７】
また、弁プレート１５の閉止部１５ａが最大開度まで開弁した状態において、案内壁１７は、閉止部１５ａの閉止面を含む平面よりも突出する位置まで延設されている。また、２枚の案内壁１７は、通路形成部材１４の取付部１４ｅを含む軸断面に対して軸対象に配置されており、各案内壁１７は、それぞれ、通路形成部材１４の流出口１４ｂ側の外周部の全周の１／４程度を覆っている。
【００５８】
弁プレート１５は、金属製の薄板をプレス切断することにより、閉止部１５ａ及び被取付部１５ｂを一体的に板ばねとして形成したものである。閉止部１５ａは、図１（ｄ）及び図２に示すとおり、通路形成部材１４の流出口１４ｂの外形とほぼ同一の形状であり、通路形成部材１４の流出口１４ｂを開閉するものである。
【００５９】
被取付部１５ｂは、通路形成部材１４の取付部１４ｅに取り付けられ係止されることにより、閉止部１５ａを開閉可能に支持する部位であり、閉止部１５ａに対して折曲形成されている。被取付部１５ｂは、通路形成部材１４の取付部１４ｅの取付溝に収納可能な矩形からなり、被取付部１５ｂを取付部１４ｅの挿入口から挿入することにより、被取付部１５ｂが取付部１４ｅにガタツキなく固定される。
【００６０】
弁プレート１５が一体的に板ばねとして形成されていることによって、閉止部１５ａは、常時、閉止部１５ａが流出口１４ｂを閉じる方向に付勢されている。燃料給油時の燃料の圧力が弁プレート１５の板ばねとしての付勢力を上回ると、被取付部１５ｂを中心として閉止部１５ａが回動することによって、閉止部１５ａが開弁して燃料タンクＴ内に燃料が供給される。
【００６１】
通路形成部材１４の取付部１４ｅには、金属製の薄板を折曲形成した規制板１６が係止されている。規制板１６は、閉弁時には閉止部１５ａと接触せず、開弁時には閉止部１５ａと面同士が接触するように折曲形成されている。この規制板１６によって、開弁時に閉止部１５ａの閉止面方向と通路形成部材１４の中心軸とのなす角度が規制される。
【００６２】
図１（ｃ）に示す角度αは、閉止部１５ａが最大に開弁した状態における、閉止部１５ａの閉止面方向と通路形成部材１４の中心軸とのなす角度示している。この角度αは、燃料の流出方向の条件設定に応じて適宜設計により決定される。例えば、燃料の流出方向を、通路形成部材１４の中心軸の方向に対して大きく曲げたい場合には、角度αを小さな値に設定するとよい。なお、図１（ｃ）においては、角度α＝１２０度程度となっているが、角度α＝９０〜１５０度を目安として適宜設定することができる。
（３）逆止弁１０の動作
次に、逆止弁１０の動作について説明する。図１（ｃ）及び図２に示すように、給油時に、通路形成部材１４の流入口１４ｃから入った燃料は、通路１４ａを通って流出口１４ｂに達し、弁プレート１５の閉止部１５ａを押す。これにより、閉止部１５ａは、図１（ｃ）の太い破線で示す位置まで被取付部１５ｂを支点として回動して開弁する。閉止部１５ａが開弁することによって、閉止部１５ａと規制板１６とが接触し、閉止部１５ａの開度が規制される。
【００６３】
通路形成部材１４の中心軸方向に対して斜めに開いた板状の閉止部１５ａと、２枚の案内壁１７とによって、燃料の流出が案内され、流出口１４ｂから流出する燃料の流出方向を、通路形成部材１４の中心軸の方向と異なる方向で、かつ通路形成部材１４の取付部１４ｅと反対の方向に定めることができる。
【００６４】
燃料の流出方向は、通路形成部材１４の取付部１４ｅと対向する側が主方向となるが、図２（ｂ）に示すように、案内壁１７と取付部１４ｅとの間の隙間から主方向とは逆の方向にも燃料が漏れ出す可能性がある。ただし、仮に燃料が漏れ出したとしても、主方向とは逆の方向への燃料の漏れ出し量は少ないため、燃料の流出方向を一定方向に定める効果に大きく影響を及ぼすことはない。
（４）逆止弁１０の効果
本実施形態の逆止弁１０の効果は次のとおりである。流出口１４ｂから流出する燃料の飛散を抑えて、燃料の流出方向を通路形成部材１４の中心軸の方向と異なる一定方向に定めることによって、燃料タンクＴ内の各種部品に燃料が勢いよくあたることを防止し、燃料タンクＴの底面に向かって円滑に燃料を流出することが可能となる。これにより、燃料タンクＴ内に配置された燃料遮断弁や満タン検知バルブ等の誤作動を防止することが可能となる。
【００６５】
また、通路形成部材１４が単純な直管状よりなるため、樹脂材料を射出成形することにより通路形成部材１４を得る場合には、成形作業に手間がかかるスライド金型が不要であり、生産効率が良好である。
【００６６】
また、弁プレート１５の形状も単純な板状よりなるため、前述の従来技術で示した傘状の弁体３２のような複雑な構造とは異なり、生産効率が良好である。
【００６７】
また、開弁時において、案内壁１７が、閉止部の閉止面を含む平面よりも突出する位置まで燃料タンクＴ内に向かって延設されているため、通路形成部材１４の軸方向と直交する方向のうちの２方向への燃料の流出を規制する効果が高い。
【００６８】
また、通路形成部材１４の流出口１４ｂは、通路形成部材１４の中心軸に対して垂直ではなく、斜めに形成されており、流出口１４ｂから流出する燃料の流出方向に大きく開口した構造である。これにより、流出口１４ｂから流出する燃料の流出方向を、通路形成部材１４の中心軸の方向に対して大きく曲げることが可能となる。
【００６９】
また、流出口１４ｂの周方向の位置を位置決めする位置決め手段として、接続用溶着部１３のフランジ１３ｂの外周の１箇所に突起１３ｄを備えているため、燃料タンクＴの接続口Ｔｄの所定の位置に正確に逆止弁１０を接続することが可能であり、また、流出口１４ｂから流出する燃料の流出方向を定める自由度が大きい。
【００７０】
また、規制板１６によって、開弁時に閉止部１５ａの閉止面方向と通路形成部材１４の中心軸とのなす角度が規制されているため、閉止部１５ａの開度が、流出口１４ｂから流出する燃料の流体圧力の増減の影響を受けにくくなり、これにより、燃料の流出方向を一定方向に定めやすくなる。
【００７１】
また、弁プレート１５の被取付部１５ｂと閉止部１５ａとが、弾性を有する薄板から一体に形成されているため、前述の従来技術で示したシャッター２２（弁体）のヒンジ２３に備わるコイルバネのように弁体とは別体の付勢力を付与する手段を必要としない。このように弁プレート１５の構造が単純であることと、部品数が少ないことによって、部品成形や組立ての手間は省力化され、生産効率が良好となる。
＜第２実施形態＞
本実施形態は、第１実施形態で示した逆止弁１０を、鞍型燃料タンクのメインタンク部とサブタンク部との間の鞍部の外壁に配置すると共に、逆止弁１０から流出する燃料の流出方向をメインタンク部側に向けることを特徴とする実施形態である。図３に本実施形態を説明する断面模式図を示す。
【００７２】
鞍型燃料タンクＴは、メインタンク部Ｔａと、サブタンク部Ｔｂと、これらを接続する鞍部Ｔｃとからなり、メインタンク部Ｔａ、サブタンク部Ｔｂ、及び鞍部Ｔｃの外壁は射出成形により一体成形されている。
【００７３】
鞍部Ｔｃの下壁は燃料タンクＴの内側に向かって上方に凹んでおり、鞍部Ｔｃの下方に形成される凹部は、後輪駆動車や四輪駆動車に装備されているプロペラシャフト（図示せず）や、エンジンからの排気管（図示せず）を配置するための空間として活用される。また、鞍部Ｔｃの上壁は燃料タンクＴの外側に向かって上方に膨らんでおり、燃料タンクＴの外壁の最上部付近に位置している。鞍部Ｔｃの上壁には満タン検知バルブＢＦが配置されている。
【００７４】
メインタンク部Ｔａ内の底面付近には、燃料をエンジンＥに移送するための燃料ポンプＰＦが配置されている。また、燃料ポンプＰＦとエンジンＥとを連結する配管にはジェットポンプＰＪが配置されている。ジェットポンプＰＪには、サブタンク部Ｔｂ内の底面付近に繋がる配管が接続されている。
【００７５】
エンジンＥの駆動にともない燃料ポンプＰＦが稼働すると、メインタンク部Ｔａ内の燃料がエンジンＥに移送される。これと同時に、燃料ポンプＰＦによってエンジンＥに移送される燃料の流速を利用してジェットポンプＰＪが稼働し、ベンチュリー効果によってサブタンク部Ｔｂからも燃料が吸い上げられて、燃料がエンジンＥに移送される。
【００７６】
鞍型燃料タンクＴは、耐燃料透過性に優れたエチレンビニルアルコール共重合体（ＥＶＯＨ）から形成されたバリア層と、ポリエチレン（ＰＥ）で形成された外層とを含む複数の樹脂層から形成されている。鞍型燃料タンクＴの鞍部Ｔｃの側壁には、逆止弁１０の接続口Ｔｄである開口部が形成されており、この接続口Ｔｄに燃料タンクＴの外側から水平方向に逆止弁１０が挿入されると共に、この接続口Ｔｄを囲むように燃料タンク用管接続体１１が溶着されている。
【００７７】
図３において、逆止弁１０の弁プレート１５は、紙面の表側に向かって開弁する。また、２枚の案内壁１７は、紙面の表側に向かって延設している。
【００７８】
図３に示すとおり、燃料の流出方向がメインタンク部Ｔａ側で、かつやや斜め下方を向くように、逆止弁１０を鞍部Ｔｃの外壁に取り付けることによって、メインタンク部Ｔａに優先的に燃料を給油することが可能となる。
【００７９】
このようにメインタンク部Ｔａに優先的に燃料を入れることの利点は次のとおりである。メインタンク部Ｔａに燃料がほとんど入っていない状態で、サブタンク部Ｔｂのみに給油すると、エンジンＥの始動により、ジェットポンプＰＪが稼働して、サブタンク部Ｔｂ側からメインタンク部Ｔａ側に燃料が移送される。しかし、エンジンＥの始動直後にはメインタンク部Ｔａ内に燃料が少ない状態であるため、車両走行持にメインタンク部Ｔａ内の燃料の液面が変化（傾斜）すれば、メインタンク部ＴａからエンジンＥに燃料を送る燃料ポンプＰＦにエアをかむ可能性がある。燃料ポンプＰＦにエアをかめば、エンストに繋がる可能性がある。
【００８０】
このような理由から、鞍型燃料タンクＴの逆止弁は、メインタンク部Ｔａの外壁に配置され、直接メインタンク部Ｔａに給油するのが一般的である。ところが、本実施形態のように、自動車のデザイン上、逆止弁をメインタンク部Ｔａとサブタンク部Ｔｂとの間の鞍部Ｔｃの外壁に配置する必要性が生じる場合がある。
【００８１】
このような場合において、流出口から流出する燃料の流出方向が一定方向に定められていない従来の逆止弁（特許文献１）を使用する際には、通路形成部材をメインタンク部Ｔａ側に向けて曲げるか、流出口の先にメインタンク部Ｔａ側に向かう延長チューブを接続するか、流出口がメインタンク部Ｔａ側を向くように鞍部Ｔｃの外壁に対して斜めに逆止弁を挿入して接続するなどの対処方法が想定される。ところが、これら対処方法は、成形性や組付け性に劣るため、良好な生産効率を確保することができない。
【００８２】
本実施形態の逆止弁１０においては、流出口１４ｂから流出する燃料の飛散を抑えて、流出方向を通路形成部材１４の中心軸の方向と異なる一定方向に定める構成であるため、燃料の流出方向をメインタンク部Ｔａ側に向けることにより、メインタンク部Ｔａに優先的に燃料を入れることが可能となる。
【００８３】
この際、図３に示すとおり、逆止弁１０から流出する燃料の流出方向がやや斜め下方を向くように配置すれば、燃料の水平方向への流出が抑制され、燃料は鞍部Ｔｃの下壁に落下し、鞍部Ｔｃの下壁に沿って流れ、メインタンク部Ｔａの底面に向かって円滑に燃料を流出することが可能となる。
【００８４】
また、本実施形態の逆止弁１０の通路形成部材１４は単純な直管状よりなるため、鞍部Ｔｃの外壁への組付け性に優れ、良好な生産効率を確保することができる。
【００８５】
さらに、本実施形態の逆止弁１０においては、燃料の流出方向を定めることが可能であるため、逆止弁１０の燃料の流出口１４ｂに近接して各種部品を配置することが可能である。したがって、燃料タンクＴの外壁の最上部付近に位置している鞍部Ｔｃの上壁に満タン検知バルブを配置した場合であっても、満タン検知バルブの誤作動を招く可能性が小さい。
＜第３実施形態＞
本実施形態は、逆止弁１０に近接して燃料遮断弁及び満タン検知バルブが配置されている燃料タンクに対して、第１実施形態で示した逆止弁１０を適用した実施形態である。図４に本実施形態を説明する断面模式図を示す。
【００８６】
燃料タンクＴ内の底面付近には、燃料をエンジンＥに移送するための燃料ポンプＰＦが配置されている。また、燃料タンクＴ内の上壁には、燃料タンクＴ内で発生した蒸発燃料をキャニスターＣに送る配管に接続されている燃料遮断弁ＢＣ及び満タン検知バルブＢＦが配置されている。
【００８７】
燃料タンクＴの側壁には、逆止弁１０の接続口Ｔｄである開口部が形成されており、この接続口Ｔｄに燃料タンクＴの外側から水平方向に逆止弁１０が挿入されると共に、この接続口Ｔｄを囲むように燃料タンク用管接続体１１が溶着されている。
【００８８】
図４に示すとおり、逆止弁１０の流出口１４ｂと、燃料遮断弁ＢＣ及び満タン検知バルブＢＦとが近接しているため、このような場合において、仮に、流出口から流出する燃料の流出方向が一定方向に定められていない従来の逆止弁（特許文献１）を使用する際には、燃料が水平方向に勢いよく流出して、燃料が燃料遮断弁ＢＣや満タン検知バルブＢＦにあたり、燃料遮断弁ＢＣや満タン検知バルブＢＦの誤作動を招く可能性がある。
【００８９】
本実施形態の逆止弁１０においては、流出口１４ｂから流出する燃料の飛散を抑えて、流出方向を通路形成部材１４の中心軸の方向と異なる一定方向に定める構成であるため、燃料の流出方向を燃料タンクＴの底面側に向けることにより、燃料が燃料遮断弁ＢＣや満タン検知バルブＢＦに勢いよくあたることを防止して、燃料タンクＴの底面に向かって円滑に燃料を流出することが可能となる。
【００９０】
なお、本発明は上述した第１〜３の実施の形態に限定されるものではなく、本発明の主旨を逸脱しない範囲で種々の変更を施すことが可能であることは言うまでもない。
【００９１】
例えば、第１実施形態において、２枚の案内壁１７は、通路形成部材１４の取付部１４ｅを含む軸断面に対して軸対象に配置されているが、非軸対象に配置してもよい。また、各案内壁１７は、それぞれ、通路形成部材１４の流出口１４ｂ側の外周部の全周の１／４程度を覆っているが、各案内壁１７が流出口１４ｂ側の外周部を覆う幅は、流出口１４ｂ側の外周部の全周の１／４程度に限らず、この幅を目安として、逆止弁１０の用途に応じて適宜変更することが可能である。
【符号の説明】
【００９２】
１０    …  逆止弁                    １１    …  燃料タンク用管接続体
１２    …  通路形成部                １３    …  接続用溶着部
１３ｄ  …  突起                      １４    …  通路形成部材
１４ａ  …  通路                      １４ｂ  …  流出口
１４ｃ  …  流入口                    １４ｄ  …  フランジ
１４ｅ  …  取付部                    １５    …  弁プレート
１５ａ  …  閉止部                    １５ｂ  …  被取付部
１６    …  規制板                    １７    …  案内壁
Ｔ      …  燃料タンク                Ｔａ    …  メインタンク部
Ｔｂ    …  サブタンク部              Ｔｃ    …  鞍部
Ｔｄ    …  接続口
【図１】
2010173499.tif 000003
【図２】
2010173499.tif 000004
【図３】
2010173499.tif 000005
【図４】
2010173499.tif 000006
【図５】
2010173499.tif 000007
【図６】
2010173499.tif 000008